(57)【要約】【課題】本体操作部の操作を無効又は有効にするための煩雑な操作を行う必要が無く、操作性を向上させることができる画像表示装置、プロジェクタ及び制御方法を得る。【解決手段】制御部２０は、入力画像信号の入力の有無及び入力画像信号の種類の少なくとも一方が所定時間変化しないとき、ロックモードを選択して本体操作部４１からの操作信号に基づく制御を行わないものである。【選択図】図１
2009122346.tif 000002
【特許請求の範囲】
【請求項１】
外部から入力される入力画像信号に基づいて表示画像用の画像信号を生成する画像信号処理部と、
前記画像信号処理部により生成された画像信号に基づいて画像を表示する表示部と、
装置本体に設けられ、操作内容に応じた操作信号を入力するための本体操作部と、
前記本体操作部からの操作信号に基づく制御を行う通常モード又は前記本体操作部からの操作信号に基づく制御を行わないロックモードを選択し、選択した当該モードに応じた制御を行う制御部と
を備え、
前記制御部は、前記入力画像信号の入力の有無及び前記入力画像信号の種類の少なくとも一方が所定時間変化しないとき、前記ロックモードを選択することを特徴とする画像表示装置。
【請求項２】
外部から入力される入力画像信号に基づいて表示画像用の画像信号を生成する画像信号処理部と、
前記画像信号処理部により生成された画像信号に基づいて画像を表示する表示部と、
装置本体に設けられ、操作内容に応じた操作信号を入力するための本体操作部と、
前記本体操作部からの操作信号に基づく制御を行う通常モード又は前記本体操作部からの操作信号に基づく制御を行わないロックモードを選択し、選択した当該モードに応じた制御を行う制御部と
を備え、
前記制御部は、前記本体操作部が電源オン操作信号を入力したときから所定時間の間、前記通常モードを選択し、前記所定時間が経過したとき、前記ロックモードを選択することを特徴とする画像表示装置。
【請求項３】
前記制御部は、前記入力画像信号の入力の有無及び前記入力画像信号の種類の少なくとも一方が変化したとき、前記通常モードを選択することを特徴とする請求項１又は２記載の画像表示装置。
【請求項４】
装置本体の外部に設けられ、操作内容に応じた操作信号を送信するリモートコントローラと、
装置本体に設けられ、前記リモートコントローラからの操作信号を受信する受信部とを更に備え、
前記制御部は、前記受信部が操作信号を受信したとき、前記通常モードを選択することを特徴とする請求項１〜３の何れかに記載の画像表示装置。
【請求項５】
前記制御部は、前記受信部が受信した１又は複数の操作信号が、予め記憶した所定の操作信号と一致するとき、前記通常モードを選択することを特徴とする請求項４記載の画像表示装置。
【請求項６】
外部から入力される入力画像信号に基づいて表示画像用の画像信号を生成する画像信号処理部と、
前記画像信号処理部により生成された画像信号に基づき、光源から射出された光束を変調する光変調部と、
前記光変調部により変調された光束を拡大投写する投写光学系と、
装置本体に設けられ、操作内容に応じた操作信号を入力するための本体操作部と、
前記本体操作部からの操作信号に基づく制御を行う通常モード又は前記本体操作部からの操作信号に基づく制御を行わないロックモードを選択し、選択した当該モードに応じた制御を行う制御部と
を備え、
前記制御部は、前記入力画像信号の入力の有無及び前記入力画像信号の種類の少なくとも一方が所定時間変化しないとき、前記ロックモードを選択することを特徴とするプロジェクタ。
【請求項７】
外部から入力される入力画像信号に基づいて表示画像用の画像信号を生成する画像信号処理部と、
前記画像信号処理部により生成された画像信号に基づき、光源から射出された光束を変調する光変調部と、
前記光変調部により変調された光束を拡大投写する投写光学系と、
前記本体操作部からの操作信号に基づく制御を行う通常モード又は前記本体操作部からの操作信号に基づく制御を行わないロックモードを選択し、選択した当該モードに応じた制御を行う制御部と
を備え、
前記制御部は、前記本体操作部が電源オン操作信号を入力したときから所定時間の間、前記通常モードを選択し、前記所定時間が経過したとき、前記ロックモードを選択することを特徴とするプロジェクタ。
【請求項８】
装置本体に本体操作部を備え、外部から入力される入力画像信号に基づいて画像を表示する画像表示装置の制御方法であって、
前記入力画像信号の入力の有無及び前記入力画像信号の種類の少なくとも一方の変化を検出するステップと、
前記変化を検出したときから所定時間が経過したか否かを判断するステップと
を有し、
前記所定時間が経過するまでの間に前記変化を検出しないとき、前記本体操作部からの操作内容に応じた制御を行わないことを特徴とする画像表示装置の制御方法。
【請求項９】
装置本体に本体操作部を備え、外部から入力される入力画像信号に基づいて画像を表示する画像表示装置の制御方法であって、
当該画像表示装置の電源オン操作がされたときから所定時間が経過したか否かを判断するステップと、
前記所定時間が経過するまでの間、前記本体操作部からの操作内容に応じた制御を行うステップと
を有し、
前記所定時間が経過したとき、前記本体操作部からの操作内容に応じた制御を行わないことを特徴とする画像表示装置の制御方法。
【発明の詳細な説明】
【技術分野】
【０００１】
本発明は、装置本体に本体操作部を備えた画像表示装置、プロジェクタ及び制御方法に関する。
【背景技術】
【０００２】
従来の技術としては、例えば特許文献１に「…前記操作部に前記プロジェクタを起動するための操作がなされた後、前記操作部に前記パスワードが入力されると、前記入力されたパスワードが、前記登録された操作権限レベルごとのパスワードのいずれかと一致した場合に、一致した前記パスワードの操作権限レベルに応じた前記記憶部に記憶されている機能の操作を可能にすることを特徴とするプロジェクタ。」が提案されている（例えば、請求項１を参照）。
【０００３】
【特許文献１】特開２００６−２３５０００号公報
【発明の開示】
【発明が解決しようとする課題】
【０００４】
従来、装置本体に設けられた本体操作部の操作を無効又は有効にするものとしては、例えばパスワードを入力する方法がとられている。
しかしながら、当該装置の電源を起動するたびにパスワードを入力して本体操作部の操作を無効にする必要があり、操作が煩雑である、という問題点があった。
また、本体操作部の操作が無効な状態において、例えば当該装置の電源を遮断する場合や入力画像信号の種類の変化に応じた設定変更を行う場合には、パスワードを入力して本体操作部の操作を有効にする必要があり、操作が煩雑である、という問題点があった。
【０００５】
本発明は、このような問題点を解決するためになされたものであり、本体操作部の操作を無効又は有効にするための煩雑な操作を行う必要が無く、操作性を向上させることができる画像表示装置、プロジェクタ及び制御方法を得ることを目的とする。
【課題を解決するための手段】
【０００６】
本発明に係る画像表示装置は、外部から入力される入力画像信号に基づいて表示画像用の画像信号を生成する画像信号処理部と、前記画像信号処理部により生成された画像信号に基づいて画像を表示する表示部と、装置本体に設けられ、操作内容に応じた操作信号を入力するための本体操作部と、前記本体操作部からの操作信号に基づく制御を行う通常モード又は前記本体操作部からの操作信号に基づく制御を行わないロックモードを選択し、選択した当該モードに応じた制御を行う制御部とを備え、前記制御部は、前記入力画像信号の入力の有無及び前記入力画像信号の種類の少なくとも一方が所定時間変化しないとき、前記ロックモードを選択するものである。
本発明においては、入力画像信号の入力の有無及び入力画像信号の種類の少なくとも一方が所定時間変化しないとき、ロックモードを選択して本体操作部からの操作信号に基づく制御を行わないので、本体操作部の操作を無効にするための煩雑な操作を行う必要が無く、操作性を向上させることができる。
【０００７】
本発明に係る画像表示装置は、外部から入力される入力画像信号に基づいて表示画像用の画像信号を生成する画像信号処理部と、前記画像信号処理部により生成された画像信号に基づいて画像を表示する表示部と、装置本体に設けられ、操作内容に応じた操作信号を入力するための本体操作部と、前記本体操作部からの操作信号に基づく制御を行う通常モード又は前記本体操作部からの操作信号に基づく制御を行わないロックモードを選択し、選択した当該モードに応じた制御を行う制御部とを備え、前記制御部は、前記本体操作部が電源オン操作信号を入力したときから所定時間の間、前記通常モードを選択し、前記所定時間が経過したとき、前記ロックモードを選択するものである。
本発明においては、本体操作部が電源オン操作信号を入力したときから所定時間が経過したとき、ロックモードを選択して本体操作部からの操作信号に基づく制御を行わないので、本体操作部の操作を無効にするための煩雑な操作を行う必要が無く、操作性を向上させることができる。
【０００８】
本発明に係る画像表示装置においては、前記制御部は、前記入力画像信号の入力の有無及び前記入力画像信号の種類の少なくとも一方が変化したとき、前記通常モードを選択するものである。
本発明においては、入力画像信号の入力の有無及び入力画像信号の種類の少なくとも一方が変化したとき、通常モードを選択して本体操作部からの操作信号に基づく制御を行うので、本体操作部の操作を有効にするための煩雑な操作を行う必要が無く、操作性を向上させることができる。
【０００９】
本発明に係る画像表示装置は、装置本体の外部に設けられ、操作内容に応じた操作信号を送信するリモートコントローラと、装置本体に設けられ、前記リモートコントローラからの操作信号を受信する受信部とを更に備え、前記制御部は、前記受信部が操作信号を受信したとき、前記通常モードを選択するものである。
本発明においては、受信部が操作信号を受信したとき通常モードを選択するので、入力画像信号の入力の有無及び入力画像信号の種類の少なくとも一方が変化しない場合であっても、リモートコントローラの操作により、本体操作部の操作を有効にすることができ、利便性が向上する。
【００１０】
本発明に係る画像表示装置においては、前記制御部は、前記受信部が受信した１又は複数の操作信号が、予め記憶した所定の操作信号と一致するとき、前記通常モードを選択するものである。
本発明においては、リモートコントローラからの操作が、予め記憶した所定の操作と一致した場合に、本体操作部の操作を有効にするので、当該所定の操作を知らない者による不正使用を防止することができる。
【００１１】
本発明に係るプロジェクタは、外部から入力される入力画像信号に基づいて表示画像用の画像信号を生成する画像信号処理部と、前記画像信号処理部により生成された画像信号に基づき、光源から射出された光束を変調する光変調部と、前記光変調部により変調された光束を拡大投写する投写光学系と、装置本体に設けられ、操作内容に応じた操作信号を入力するための本体操作部と、前記本体操作部からの操作信号に基づく制御を行う通常モード又は前記本体操作部からの操作信号に基づく制御を行わないロックモードを選択し、選択した当該モードに応じた制御を行う制御部とを備え、前記制御部は、前記入力画像信号の入力の有無及び前記入力画像信号の種類の少なくとも一方が所定時間変化しないとき、前記ロックモードを選択するものである。
本発明においては、入力画像信号の入力の有無及び入力画像信号の種類の少なくとも一方が所定時間変化しないとき、ロックモードを選択して本体操作部からの操作信号に基づく制御を行わないので、本体操作部の操作を無効にするための煩雑な操作を行う必要が無く、操作性を向上させることができる。
【００１２】
本発明に係るプロジェクタは、外部から入力される入力画像信号に基づいて表示画像用の画像信号を生成する画像信号処理部と、前記画像信号処理部により生成された画像信号に基づき、光源から射出された光束を変調する光変調部と、前記光変調部により変調された光束を拡大投写する投写光学系と、前記本体操作部からの操作信号に基づく制御を行う通常モード又は前記本体操作部からの操作信号に基づく制御を行わないロックモードを選択し、選択した当該モードに応じた制御を行う制御部とを備え、前記制御部は、前記本体操作部が電源オン操作信号を入力したときから所定時間の間、前記通常モードを選択し、前記所定時間が経過したとき、前記ロックモードを選択するものである。
本発明においては、本体操作部が電源オン操作信号を入力したときから所定時間が経過したとき、ロックモードを選択して本体操作部からの操作信号に基づく制御を行わないので、本体操作部の操作を無効にするための煩雑な操作を行う必要が無く、操作性を向上させることができる。
【００１３】
本発明に係る画像表示装置の制御方法は、装置本体に本体操作部を備え、外部から入力される入力画像信号に基づいて画像を表示する画像表示装置の制御方法であって、前記入力画像信号の入力の有無及び前記入力画像信号の種類の少なくとも一方の変化を検出するステップと、前記変化を検出したときから所定時間が経過したか否かを判断するステップとを有し、前記所定時間が経過するまでの間に前記変化を検出しないとき、前記本体操作部からの操作内容に応じた制御を行わないものである。
本発明においては、入力画像信号の入力の有無及び入力画像信号の種類の少なくとも一方が所定時間変化しないとき、本体操作部からの操作内容に応じた制御を行わないので、本体操作部の操作を無効にするための煩雑な操作を行う必要が無く、操作性を向上させることができる。
【００１４】
本発明に係る画像表示装置の制御方法は、装置本体に本体操作部を備え、外部から入力される入力画像信号に基づいて画像を表示する画像表示装置の制御方法であって、当該画像表示装置の電源オン操作がされたときから所定時間が経過したか否かを判断するステップと、前記所定時間が経過するまでの間、前記本体操作部からの操作内容に応じた制御を行うステップとを有し、前記所定時間が経過したとき、前記本体操作部からの操作内容に応じた制御を行わないものである。
本発明においては、電源オン操作がされたときから所定時間が経過したとき、本体操作部からの操作内容に応じた制御を行わないので、本体操作部の操作を無効にするための煩雑な操作を行う必要が無く、操作性を向上させることができる。
【発明を実施するための最良の形態】
【００１５】
実施の形態１．
図１は実施の形態１に係るプロジェクタの構成を示すブロック図である。図に示すように、画像表示装置であるプロジェクタ１は、光源１１と、光変調部である液晶ライトバルブ１２Ｒ，１２Ｇ，１２Ｂ（以下、区別しない場合は単に「液晶ライトバルブ１２」という。）と、投写光学系１３と、液晶ライトバルブ駆動部１４と、制御部２０と、画像入力部３１と、画像信号処理部３２と、フレームメモリ３３と、本体操作部４１と、リモコン受光部４２と、操作信号処理部４３と、記憶部４４と、タイマ部５０と、電源部６０とを備えている。このプロジェクタ１は、外部接続機器２から供給される入力画像信号に応じた画像光を投射して、スクリーン、白壁又はホワイトボード等の被投写体（以下「スクリーンＳＣ」という。）に拡大投写するものである。また、例えば展示会など、多数の者が当該プロジェクタ１を操作し得る場所に設置される場合、後述する動作により、本体操作部４１の操作を無効（以下「本体キーロック」という。）にするものである。
尚、液晶ライトバルブ駆動部１４、液晶ライトバルブ１２及び投写光学系１３は本発明における表示部に相当する。
【００１６】
制御部２０は、光源１１、画像入力部３１、画像信号処理部３２、操作信号処理部４３、記憶部４４、タイマ部５０、及び電源部６０と接続され、プロジェクタ１の動作を統括制御する。この制御部２０は、マイクロプロセッサ等により構成され、記憶部４４に記憶された制御プログラム等を実行して、制御部２０に接続された各部から入力される各種データを演算するとともに、演算結果を前記各部に出力する。また、後述する動作により、記憶部４４に記憶された状態フラグを参照し、本体操作部４１からの操作のロック又は解除を行う。なお、制御部２０は光源駆動部（図示せず）を介して光源１１を制御する。
【００１７】
画像入力部３１は、外部接続機器２と接続する１又は複数の接続端子を備え、外部接続機器２から入力される１又は複数の入力画像信号を取り込んで、それが例えばアナログ画像信号の場合にはデジタルの画像信号に変換する等の処理をし、画像信号処理部３２に出力する。尚、画像入力部３１が備える接続端子としては、例えば、ＲＧＢ端子、ＢＮＣ端子、Ｓ端子、ビデオ端子、ＤＶＩ端子などを備え、パーソナルコンピュータや各種ビデオ機器、ＤＶＤ再生機器などと接続される。
【００１８】
画像信号処理部３２は、例えばマイクロプロセッサ（例えばＤＳＰ）等の信号処理回路から構成され、それに内蔵した記憶部に格納された制御プログラムを実行することにより各種の処理を行う。また、画像信号処理部３２にはフレームメモリ３３が接続されており、画像入力部３１からの画像信号を１フレーム（１画像画面）毎にフレームメモリ３３に記憶させるとともに、フレームメモリ３３に記憶された画像（以下「フレーム画像」ともいう。）を読み出す機能を有し、また、画像信号の解像度を液晶ライトバルブ１２の解像度に合わせる解像度変換処理等の各種の信号処理を施して投写画像用の画像信号を生成する。
【００１９】
さらに、画像信号処理部３２は、画像入力部３１から入力される入力画像信号の変化を検出する。ここで、入力画像信号の変化とは、入力画像信号の入力の有無の変化、つまり画像入力部３１からの信号が入力されてている状態から入力されていない状態に変化したとき若しくは信号が入力されていない状態から入力されている状態に変化したとき、又は入力画像信号の解像度などの種類が変化することをいう。
【００２０】
また、この画像信号処理部３２はＯＳＤ（Ｏｎ−Ｓｃｒｅｅｎ  Ｄｉｓｐｌａｙ）処理をする機能を備えており、制御部２０の制御命令に従って、プロジェクタ１の各種状態を表す文字や記号、画質調整を行う際のメニュー画像のＯＳＤ画像信号をフレーム画像信号と合成する処理を行う。具体的には、制御部２０が例えば記憶部４４から本体キーロック設定登録画面（後述）などの各種メニュー画像データを読み出して画像信号処理部３２に供給し、画像信号処理部３２は例えばメニュー画像データによりＯＳＤ画像信号を生成し、このＯＳＤ画像信号をフレーム画像信号と合成する。なお、ＯＳＤ処理をしない場合には、フレーム画像信号がそのまま出力されることになる。上記のＯＳＤ処理によりメニュー画像が表示されると、ユーザーはメニュー画像に従ってプロジェクタ１の各部の機能を設定又は調整することになる。
【００２１】
液晶ライトバルブ駆動部１４は、入力された画像信号に応じて、液晶ライトバルブ１２Ｒ，１２Ｇ，１２Ｂを駆動する。液晶ライトバルブ１２Ｒ，１２Ｇ，１２Ｂは、それぞれ、複数の画素（図示せず）がマトリクス状に形成されており、液晶ライトバルブ駆動部１４により各画素の透過率が調整されることにより、光源１１から射出され、色光分離光学系（図示せず）によって各色光に分離されたＲ（赤）、Ｇ（緑），Ｂ（青）の各色光を、対応する液晶ライトバルブ１２Ｒ，１２Ｇ，１２Ｂによって変調する。液晶ライトバルブ１２Ｒ，１２Ｇ，１２Ｂから射出された画像光は、クロスダイクロイックプリズム（図示せず）などの合成光学系により合成され、投写光学系１３によってスクリーンＳＣ上に拡大投写される。
【００２２】
本体操作部４１は、プロジェクタ１の本体に設けられており、電源オン／オフキー、入力画像切り換え操作を行う入力切換キー、後述する本体キーロック設定の操作や画質調整等の操作を行うメニュー画像を表示させるメニューキー、メニュー画像での項目選択操作を行う選択キー、及びプロジェクタ１の状態変更等を行うための各種スイッチ類を有し、ユーザによるキー操作に応じた操作信号を操作信号処理部４３に入力する。
【００２３】
リモートコントローラ（以下「リモコンＲＣ」という。）は、プロジェクタ１の外部に設けられ、上記本体操作部４１と同様な各種スイッチ類や０〜９までの数字キーなどを有し、ユーザによるキー操作に応じた操作信号を送信する。そして、リモコンＲＣからの操作信号は、受信部であるリモコン受光部４２を介して操作信号処理部４３に入力される。
【００２４】
操作信号処理部４３は、本体操作部４１又はリモコン受光部４２からの操作信号を受信し、これを制御部２０に出力する。
【００２５】
記憶部４４は、制御部２０が実行する制御プログラム、画質調整等を行う際のメニュー画像の表示や、後述する本体キーロック設定画面などのＯＳＤ画像を生成するためのＯＳＤ情報を記憶するとともに、プロジェクタ１の各種設定値等を記憶する。また、後述する動作により、本体キーロック設定の登録情報、状態フラグの情報が記録される。
【００２６】
タイマ部５０は、制御部２０からの指示に従って動作し、設定された時間の経過を制御部２０へ通知する。
【００２７】
電源部６０は、外部の商業電源に接続されてプロジェクタ１内の各構成部の電力供給源となるものであり、本体操作部４１又はリモコンＲＣからの電源オン／オフ操作に応じて動作する。
【００２８】
上記のような構成により本実施の形態のプロジェクタ１は、本体操作部４１からの操作を無効又は有効にする本体キーロック設定（以下「ロック設定」という。）が登録され、このロック設定に応じて、（１）常時ロック解除、（２）常時ロック設定、（３）設定時間後ロック設定、（４）信号無変化後ロック設定の各動作を行う。
このような動作の詳細について図２〜図４を用いて次に説明する。
【００２９】
まず、本体キーロック設定の登録動作について説明する。
図２は実施の形態１に係る本体キーロック設定登録の画面表示を示す図である。
ユーザにより本体操作部４１又はリモコンＲＣのメニューキーが押下されると、操作信号処理部４３は、メニュー表示操作の操作信号を受信し、この操作信号を制御部２０へ入力する。制御部２０は、入力されたメニュー表示操作の操作信号によりメニュー表示動作を開始し、記憶部４４に記録されたメニュー画像に関するＯＳＤ情報を画像信号処理部３２に出力する。画像信号処理部３２は、入力されたメニュー画像に関する情報に基いて、メニュー画像を表示するＯＳＤ画像信号を生成する。そして、この画像信号に基づく画像光が投写光学系１３を介して射出され、メニュー画像が投写される。
【００３０】
このようなメニュー表示の際に、ユーザによりカーソルキー、決定キーなどが操作され、「本体キーロック設定」に係るメニューが選択されると、例えば図２に示すように、「常時ロック解除」、「常時ロック設定」、「信号無変化後ロック設定」、及び「設定時間後ロック設定」の設定メニュー１００が投写画像Ｇ１に表示される。そしてユーザによるキー操作により、上記設定メニュー１００の何れかを選択する操作がなされると、制御部２０は、当該選択されたロック設定を識別する登録情報を記憶部４４に格納する。尚、既に情報が格納されている場合には当該情報を更新する。
【００３１】
また、「信号無変化後ロック設定」及び「設定時間後ロック設定」の設定メニューにおいては、ユーザにより所定の設定時間が入力され、制御部２０はタイマ部５０に対し、「信号無変化後ロック設定」における設定時間をタイマＴ１として設定し、「設定時間後ロック設定」における設定時間をタイマＴ２として設定する。
次に、このように選択されたロック設定の各動作についてそれぞれ説明する。
【００３２】
（１）常時ロック解除
上述した本体キーロック設定において、「常時ロック解除」が選択されると、制御部２０は、記憶部４４に記憶される状態フラグを「０」に設定して、本体操作部４１からの操作内容に応じた制御を行う通常モードを選択する。そして、ユーザにより本体操作部４１の各種のキー操作がされると、操作信号処理部４３は、当該キー操作に応じた操作信号を制御部２０へ入力し、制御部２０は、記憶部４４に記憶された状態フラグを参照して通常モードである場合には、本体操作部４１からの操作内容に応じて各種の制御を行う。
【００３３】
例えば、外部接続機器２から画像入力部３１に１又は複数の入力画像信号が入力された状態において、ユーザから入力切換キーが操作されると、制御部２０は画像入力部３１に入力画像切り換え操作を行わせ、外部接続機器２から入力される複数の入力画像信号のうち、操作に応じた入力画像信号を選択させる。そして、制御部２０は画像信号処理部３２に対し、選択された入力画像信号を変換して投写画像用の画像信号の生成を指示する。画像信号処理部３２は、生成した画像信号を液晶ライトバルブ駆動部１４へ入力し、液晶ライトバルブ駆動部１４は、入力された画像信号に応じて、液晶ライトバルブ１２を駆動する。液晶ライトバルブ１２は、液晶ライトバルブ駆動部１４により各画素の透過率が調整されることにより、光源１１の光を変調して画像光を射出する。この画像光は、投写光学系１３を介してスクリーンＳＣに投射される。
【００３４】
（２）常時ロック設定
上述した本体キーロック設定において、「常時ロック設定」が選択されると、制御部２０は、記憶部４４に記憶される状態フラグを「１」に設定して、本体操作部４１からの操作内容に応じた制御を行わないロックモードを選択する。そして、ユーザにより本体操作部４１の各種のキー操作がされると、操作信号処理部４３は、当該キー操作に応じた操作信号を制御部２０へ入力し、制御部２０は、記憶部４４に記憶された状態フラグを参照してロックモードである場合には、本体操作部４１からの操作信号に応じた制御は行わない。
尚、ユーザによりリモコンＲＣの各種のキー操作がされると、操作信号処理部４３により当該キー操作に応じた操作信号が制御部２０へ入力され、制御部２０は、ロックモードであっても、リモコンＲＣからの操作内容に応じて各種の制御を行う。
【００３５】
上記ロックモードを選択した後、ロックモードを解除して通常モードに移行する場合には、リモコンＲＣの操作により、上述した本体キーロック設定画面により「常時ロック解除」を設定する。このように、「常時ロック設定」においては、一旦、ロックモードへ移行した後はリモコンＲＣの操作によらなければ当該ロックモードを解除することはできない。
【００３６】
（３）信号無変化後ロック設定
図３は実施の形態１に係る信号無変化後ロック設定の動作フローチャートである。
上述した本体キーロック設定において、「信号無変化後ロック設定」が選択された場合の動作を図３に基づき説明する。
画像信号処理部３２は、画像入力部３１から入力される入力画像信号の入力の有無及び入力画像信号の種類の少なくとも一方の変化を検出する。制御部２０は、画像信号処理部３２から入力画像信号の変化検出を取得すると（Ｓ１０１）、記憶部４４に記憶された登録情報に基づき、ロック設定が「信号無変化後ロック設定」であるか否かを判断し（Ｓ１０２）、「信号無変化後ロック設定」が選択されている場合には、タイマ部５０のタイマＴ１（例えば３分）のタイマ値をクリアした後、タイマＴ１をスタートさせる（Ｓ１０３）。つまり入力画像信号が変化する度にタイマ値がクリアされタイマＴ１が再スタートすることとなる。
【００３７】
次に制御部２０は、記憶部４４に記憶された状態フラグを「０」に設定して、本体操作部４１からの操作内容に応じた制御を行う通常モードを選択する（Ｓ１０４）。そして、本体操作部４１からの操作がされると、制御部２０は、記憶部４４に記憶された状態フラグを参照し、通常モードである場合には、本体操作部４１からの操作内容に応じて各種の制御を行う。一方、「設定時間後ロック設定」が選択されていない場合には、タイマＴ１をスタートさせることなく信号変化検出の処理を終了する（Ｓ１０５）。
【００３８】
制御部２０は、タイマ部５０からタイマＴ１の設定時間経過の通知がなされると（Ｓ１１１）、記憶部４４に記憶された状態フラグを「１」に設定して、本体操作部４１からの操作内容に応じた制御を行わないロックモードを選択する（Ｓ１１２）。そして、ユーザにより本体操作部４１の各種のキー操作がされると、操作信号処理部４３は、当該キー操作に応じた操作信号を制御部２０へ入力し、制御部２０は、記憶部４４に記憶された状態フラグを参照し、ロックモードである場合には、本体操作部４１からの操作信号に応じた制御は行わない。
【００３９】
このような動作により、制御部２０は、入力画像信号の入力の有無及び入力画像信号の種類の少なくとも一方が所定の設定時間変化しないとき、ロックモードを選択して本体操作部４１からの操作内容に応じた制御は行わない。
尚、上述した常時ロック設定の動作と同様に、ユーザによりリモコンＲＣの各種のキー操作がされると、制御部２０はロックモードであっても、リモコンＲＣからの操作内容に応じて各種の制御を行う。
【００４０】
次にロックモードを解除して通常モードへの移行する動作について説明する。
上記のような動作によりロックモードを設定した後、画像信号処理部３２により入力画像信号の変化が検出されると、制御部２０は、入力画像信号の変化検出を取得し、再度、上記ステップＳ１０１以降の動作を行い、タイマＴ１のクリア及び再スタートの後、通常モードを選択することとなる（Ｓ１０１〜Ｓ１０５）。つまり、制御部２０は、入力画像信号の変化が検出される度にタイマＴ１をクリアして、通常モードを選択するので、入力画像信号が変化するとロックモードが解除されることとなる。
【００４１】
（４）設定時間後ロック設定
図４は実施の形態１に係る設定時間後ロック設定の動作フローチャートである。
「設定時間後ロック設定」が選択された場合の動作を図４に基づき説明する。
上述した本体キーロック設定において、「設定時間後ロック設定」を選択する操作を行った後、プロジェクタ１の電源がオフにされ、再度、プロジェクタ１の電源オンの操作がされると（Ｓ２０１）、制御部２０は記憶部４４に記憶される状態フラグを「０」に設定して、本体操作部４１からの操作内容に応じた制御を行う通常モードを選択する（Ｓ２０２）。次に制御部２０は、記憶部４４に記憶された登録情報に基づき、ロック設定が「設定時間後ロック設定」であるか否かを判断し（Ｓ２０３）、「設定時間後ロック設定」が選択されている場合には、タイマ部５０のタイマＴ２（例えば５分）をスタートさせる（Ｓ２０４）。そして、本体操作部４１からの操作がされると、制御部２０は、記憶部４４に記憶された状態フラグを参照し、通常モードである場合には、本体操作部４１からの操作内容に応じて各種の制御を行い、入力画像信号に基づく画像が投写される（Ｓ２０５）。一方、「設定時間後ロック設定」が選択されていない場合には、タイマＴ２をスタートさせることなく、入力画像信号に基づく画像が投写される。
【００４２】
制御部２０は、タイマ部５０からタイマＴ２の設定時間経過の通知がなされると（Ｓ２１１）、記憶部４４に記憶された状態フラグを「１」に設定して、本体操作部４１からの操作内容に応じた制御を行わないロックモードを選択する（Ｓ２１２）。そして、ユーザにより本体操作部４１の各種のキー操作がされると、操作信号処理部４３は、当該キー操作に応じた操作信号を制御部２０へ入力し、制御部２０は、記憶部４４に記憶された状態フラグを参照し、ロックモードである場合には、本体操作部４１からの操作信号に応じた制御は行わない。
【００４３】
このような動作により、制御部２０は、電源オン操作がされたときから所定の設定時間の間、本体操作部４１からの操作内容に応じた制御を行い、設定時間が経過したとき、本体操作部４１からの操作内容に応じた制御は行わない。
尚、上述した常時ロック設定の動作と同様に、ユーザによりリモコンＲＣの各種のキー操作がされると、制御部２０はロックモードであっても、リモコンＲＣからの操作内容に応じて各種の制御を行う。
【００４４】
次にロックモードを解除して通常モードへの移行する動作について説明する。
上記のような動作によりロックモードを設定した後、画像信号処理部３２により入力画像信号の変化が検出されると、制御部２０は、記憶部４４に記憶される状態フラグを「０」に設定して、本体操作部４１からの操作内容に応じた制御を行う通常モードを選択する。そして、ユーザにより本体操作部４１の各種のキー操作がされると、本体操作部４１からの操作内容に応じて各種の制御を行う。つまり、制御部２０は入力画像信号が変化するとロックモードを解除する。
【００４５】
以上のように本実施の形態１においては、「信号無変化後ロック設定」が選択されると、入力画像信号の入力の有無及び入力画像信号の種類の少なくとも一方が所定時間変化しないとき、ロックモードを選択して本体操作部４１からの操作内容に応じた制御は行わないので、例えば入力画像信号の入力切換操作を行った後、所定時間が経過することにより本体操作部４１の操作を無効することができ、本体操作部４１の操作を無効にするための煩わしい操作を行う必要が無く、操作性を向上させることができる。
【００４６】
また、「設定時間後ロック設定」が選択されると、電源オン操作がされたときから所定時間が経過したとき、ロックモードを選択して本体操作部４１からの操作内容に応じた制御は行わないので、例えば電源オン後から所定時間の経過前に、画像を投写させる操作を行って投写画像を確認した後、所定時間が経過することにより本体操作部４１の操作を無効にすることができ、本体操作部４１の操作を無効にするための煩わしい操作を行う必要が無く、操作性を向上させることができる。
【００４７】
また、「信号無変化後ロック設定」及び「設定時間後ロック設定」が選択された場合において、入力画像信号の入力の有無及び入力画像信号の種類の少なくとも一方が変化したとき、通常モードを選択して本体操作部４１からの操作内容に応じた制御を行うので、本体操作部４１の操作を有効にするための煩わしい操作を行う必要が無く、操作性を向上させることができる。例えば外部接続機器２との接続が解除された場合や入力画像信号の解像度が変化した場合など、当該プロジェクタ１の電源遮断や設定変更操作が必要な際に本体操作部４１の操作を有効することができる。
【００４８】
尚、本実施の形態１においては、「信号無変化後ロック設定」及び「設定時間後ロック設定」が選択されたとき、入力画像信号の入力の有無及び入力画像信号の種類の少なくとも一方が変化したときに通常モードを選択して本体操作部４１からの操作内容に応じた制御を行う場合を説明したが、本発明はこれに限らず、上記動作に加え、リモコンＲＣからの何らかの操作信号が入力されたとき、通常モードを選択して本体操作部４１からの操作内容に応じた制御を行うようにしても良い。これにより、入力画像信号の入力の有無及び入力画像信号の種類の少なくとも一方が変化しない場合であっても、リモコンＲＣの操作により本体操作部４１の操作を有効にすることができ、利便性を向上させることができる。
【００４９】
更に、制御部２０は、リモコンＲＣから入力された１又は複数の操作信号が、記憶部４４に予め記憶した所定の操作信号と一致するとき、通常モードを選択して本体操作部４１からの操作内容に応じた制御を行うようにしても良い。これにより、リモコンＲＣからの操作が、予め記憶した所定の操作と一致した場合に、本体操作部４１の操作を有効にするので、当該所定の操作を知らない者による不正使用を防止することができる。
【００５０】
尚、本実施の形態１では、液晶ライトバルブ１２を用いて、光源１１から射出された光を変調したが、本発明はこれに限らず、他の空間光変調器を用いても良く、例えば、半導体基板の上に敷き詰められた微小面積のミラーの傾きを画像信号に基づいて制御することによって画像を投写するＤＭＤ（Ｄｉｇｉｔａｌ  Ｍｉｃｒｏｍｉｒｒｏｒ  Ｄｅｖｉｃｅ）を用いてもよい。なお、ＤＭＤは米国テキサスインスツルメンツ社の登録商標である。
【００５１】
尚、本実施の形態１では、画像表示装置としてプロジェクタを説明したが、本発明はこれに限定するものではなく、外部から入力される入力画像信号に基づいて画像を表示する画像表示装置であれば良い。例えば、ＣＲＴディスプレイ、液晶パネル（ＬＣＤ）、プラズマディスプレイ（ＰＤＰ）、有機ＥＬディスプレイなどを備えた、パーソナルコンピュータ、液晶テレビ、プラズマテレビなどでも良い。
【図面の簡単な説明】
【００５２】
【図１】実施の形態１に係るプロジェクタの構成を示すブロック図である。
【図２】実施の形態１に係る本体キーロック設定登録の画面表示を示す図である。
【図３】実施の形態１に係る信号無変化後ロック設定の動作フローチャートである。
【図４】実施の形態１に係る設定時間後ロック設定の動作フローチャートである。
【符号の説明】
【００５３】
１  プロジェクタ、２  外部接続機器、１１  光源、１２Ｒ  液晶ライトバルブ、１２Ｇ  液晶ライトバルブ、１２Ｂ  液晶ライトバルブ、１３  投写光学系、１４  液晶ライトバルブ駆動部、２０  制御部、３１  画像入力部、３２  画像信号処理部、３３  フレームメモリ、４１  本体操作部、４２  リモコン受光部、４３  操作信号処理部、４４  記憶部、５０  タイマ部、６０  電源部、１００  設定メニュー、ＲＣ  リモコン、ＳＣ  スクリーン。
【図１】
2009122346.tif 000003
【図２】
2009122346.tif 000004
【図３】
2009122346.tif 000005
【図４】
2009122346.tif 000006